(57)【要約】【課題】重要性の高い情報の共有に適した新規な情報共有技術を提供する。【解決手段】  モバイル端末が有する複数のＡＰＰ（アプリケーションプログラム）が、セキュアブラウザ機能と、プッシュ通知受信機能とを含んだ１以上のＡＰＰを含む。情報共有支援システムは、いずれかの端末から新たに入力された対象を含む共有対象を新たに登録した場合、他の端末としてのモバイル端末のプッシュ通知受信機能に対して、そのモバイル端末が有するセキュアブラウザ機能を起動させる通知を送信する。プッシュ通知受信機能は、受信した通知を使用することでセキュアブラウザ機能を起動する。情報共有支援システムは、起動されたセキュアブラウザ機能からのリクエストに応答して、新たに登録された共有対象の表示用情報をセキュアブラウザ機能に送信する。【選択図】図１
2015232867.tif 000002
【特許請求の範囲】
【請求項１】
モバイル端末を含む複数の端末と通信する通信手段と
前記複数の端末に前記通信手段を介して電子的な情報共有の場を提供する制御手段と
を有し、
前記複数の端末の各々が、１以上のブラウザ機能を有し、
前記複数の端末のうちの少なくともモバイル端末が有する１以上のブラウザ機能が、セキュアブラウザ機能を含み、
前記複数の端末のうちの少なくともモバイル端末が、セキュアブラウザ機能とプッシュ通知受信機能とを含んだ１以上のアプリケーションプログラムを含む複数のアプリケーションプログラムを有し、
前記セキュアブラウザ機能は、そのセキュアブラウザ機能により入出力された情報をそのセキュアブラウザ機能を有する端末から消去するブラウザ機能であり、
前記情報共有の場には、記憶手段に登録されている１以上の共有対象が、前記制御手段により、各端末のブラウザ機能の画面に表示され、
前記１以上の共有対象の各々は、いずれかの端末から前記情報共有の場で共有される情報として入力された共有入力対象を含んだ情報であり、
前記制御手段は、いずれかの端末から新たに入力された共有入力対象を含んだ共有対象を前記記憶手段に新たに登録した場合、前記複数の端末の他の端末としてのモバイル端末のプッシュ通知受信機能に対して、そのモバイル端末が有する前記セキュアブラウザ機能を起動させる通知を送信し、
前記制御手段は、前記プッシュ通知受信機能が受信した前記通知により起動された前記セキュアブラウザ機能からのリクエストに応答して、前記新たに登録された共有対象の表示用情報を、前記セキュアブラウザ機能に送信する、
情報共有支援システム。
【請求項２】
前記通知は、前記セキュアブラウザ機能を起動させるリンクを含む、
請求項１記載の情報共有支援システム。
【請求項３】
前記リンクは、前記セキュアブラウザ機能を含むアプリケーションプログラムを起動させるＵＲＬスキームである、
請求項２記載の情報共有支援システム。
【請求項４】
前記通信手段及び前記制御手段を含んだサーバと、
前記サーバと前記複数の端末の各々との通信を中継するゲートウェイと
を有し、
前記ゲートウェイは、第１の認証として、端末のデバイス認証を行い、そのデバイス認証にパスした場合に、その端末と前記サーバとの通信を中継し、
前記サーバの前記制御手段は、第２の認証として、端末のユーザのユーザ認証を行い、そのユーザ認証にパスした場合に、その端末に対して前記情報共有の場を提供し、
前記プッシュ通知受信機能が受信した前記通知により起動された前記セキュアブラウザ機能からの所定のＵＲＬを指定したアクセスの都度に、前記第１及び第２の認証が行われる、
請求項１乃至３のうちのいずれか１項に記載の情報共有支援システム。
【請求項５】
モバイル端末を含む複数の端末に、電子的な情報共有の場を提供する情報共有支援システムと、
前記複数の端末のうちの少なくともモバイル端末で実行されるプッシュ通知受信機能と
を有し、
前記複数の端末の各々が、１以上のブラウザ機能を有し、
前記複数の端末のうちの少なくともモバイル端末が有する１以上のブラウザ機能が、セキュアブラウザ機能を含み、
前記複数の端末のうちの少なくともモバイル端末が、前記セキュアブラウザ機能と前記プッシュ通知受信機能とを含んだ１以上のアプリケーションプログラムを含む複数のアプリケーションプログラムを有し、
前記セキュアブラウザ機能は、そのセキュアブラウザ機能により入出力された情報をそのセキュアブラウザ機能を有する端末から消去するブラウザ機能であり、
前記情報共有の場には、記憶手段に登録されている１以上の共有対象が、各端末のブラウザ機能の画面に表示され
前記１以上の共有対象の各々は、いずれかの端末から前記情報共有の場で共有される情報として入力された共有入力対象を含んだ情報であり、
前記情報共有支援システムは、いずれかの端末から新たに入力された共有入力対象を含んだ共有対象を前記記憶手段に新たに登録した場合、前記複数の端末の他の端末としてのモバイル端末のプッシュ通知受信機能に対して、そのモバイル端末が有する前記セキュアブラウザ機能を起動させる通知を送信し、
前記プッシュ通知受信機能は、受信した前記通知を使用することで前記セキュアブラウザ機能を起動し、
前記情報共有支援システムは、前記起動されたセキュアブラウザ機能からのリクエストに応答して、前記新たに登録された共有対象の表示用情報を、前記セキュアブラウザ機能に送信する、
情報共有システム。
【請求項６】
モバイル端末を含む複数の端末の各々のブラウザ機能に、電子的な情報共有の場を提供し、少なくともモバイル端末が有する１以上のブラウザ機能のうちのセキュアブラウザ機能は、そのセキュアブラウザ機能により入出力された情報を端末から消去するブラウザ機能であり、前記情報共有の場には、記憶手段に登録されている１以上の共有対象が、各端末のブラウザ機能の画面に表示され、前記１以上の共有対象の各々は、いずれかの端末から前記情報共有の場で共有される情報として入力された共有入力対象を含んだ情報であり、前記複数の端末のうちの少なくともモバイル端末が、セキュアブラウザ機能とプッシュ通知受信機能とを含んだ１以上のアプリケーションプログラムを含む複数のアプリケーションプログラムを有し、
いずれかの端末から新たに入力された共有入力対象を含んだ共有対象を前記記憶手段に新たに登録した場合、前記複数の端末の他の端末としてのモバイル端末のプッシュ通知受信機能に対して、そのモバイル端末が有する前記セキュアブラウザ機能を起動させる通知を送信し、
前記プッシュ通知受信機能が受信した前記通知により起動された前記セキュアブラウザ機能からのリクエストに応答して、前記新たに登録された共有対象の表示用情報を、前記セキュアブラウザ機能に送信する、
情報共有方法。
【発明の詳細な説明】
【技術分野】
【０００１】
本発明は、概して、端末を使用した情報共有を支援するコンピュータ技術に関する。
【背景技術】
【０００２】
この種の技術として、ＬＩＮＥ（登録商標）が知られている。
【先行技術文献】
【特許文献】
【０００３】
【特許文献１】http://line.me/ja/
【発明の概要】
【発明が解決しようとする課題】
【０００４】
ところで、重要性の高い情報の共有では、ＬＩＮＥのような既存の情報共有技術を単純に利用することは好ましくない。例えば、重要性の高い情報として、コンピュータシステム等の障害に関する情報、新しい商品又はサービスのリリースに関する情報があるが、このような重要性の高い情報の共有に既存の情報共有技術を単純に利用することは、利便性及びセキュリティのうちの少なくとも１つの観点から好ましくない。
【０００５】
従って、本発明の目的は、重要性の高い情報の共有に適した新規な情報共有技術を提供することにある。
【課題を解決するための手段】
【０００６】
モバイル端末を含む複数の端末（複数のユーザがそれぞれ使用する複数の端末）に電子的な情報共有の場を提供する情報共有支援システムが構築され、複数の端末の各々が、１以上のブラウザ機能を有する。複数の端末のうちの少なくともモバイル端末が有する１以上のブラウザ機能は、セキュアブラウザ機能を含む。複数の端末のうちの少なくともモバイル端末が、プッシュ通知受信機能を有する。複数の端末のうちの少なくともモバイル端末が、セキュアブラウザ機能とプッシュ通知受信機能とを含んだ１以上のアプリケーションプログラムを含む複数のアプリケーションプログラムを有する。セキュアブラウザ機能は、そのセキュアブラウザ機能を実行する端末に、そのセキュアブラウザ機能により入出力された情報をその端末から消去するブラウザ機能である。情報共有の場には、記憶手段（例えば、情報共有支援システムの中又は外にある記憶装置）に登録されている１以上の共有対象が、各端末のブラウザのブラウザ画面に表示される。１以上の共有対象の各々は、いずれかの端末から情報共有の場で共有される情報として入力された共有入力対象を含んだ情報である。情報共有支援システムは、いずれかの端末から新たに入力された共有入力対象を含んだ共有対象を記憶手段に新たに登録した場合、複数の端末の他の端末としてのモバイル端末のプッシュ通知受信機能に対して、そのモバイル端末が有するセキュアブラウザ機能を起動させる通知を送信する。プッシュ通知受信機能は、受信した通知が使用することで、セキュアブラウザ機能を起動する。情報共有支援システムは、起動されたセキュアブラウザ機能からのリクエストに応答して、新たに登録された共有対象の表示用情報を、セキュアブラウザ機能に送信する。
【０００７】
セキュアブラウザ機能とプッシュ通知受信機能は、１つのアプリケーションプログラムに含まれる機能であってもよいし、それぞれ別々のアプリケーションプログラムに含まれる機能であってもよい。
【発明の効果】
【０００８】
重要性の高い情報の共有に適した新規な情報共有技術を提供することができる。
【図面の簡単な説明】
【０００９】
【図１】本発明の一実施形態に係る情報共有システムの構成を示す。
【図２】図２Ａは、掲示板スタート画面の一例を示す。図２Ｂは、掲示板詳細画面２１０の一例を示す。
【図３】図３Ａは、掲示板詳細画面２１０に対するサマリ指定の一例を示す。図３Ｂは、掲示板サマリ画面の一例を示す。
【図４】図４Ａは、ＡＰＰ一覧画面の一例を示す。図４Ｂは、未読通知を選択することにより表示されたブラウザ画面の一例を示す。
【図５】本発明の一実施形態に係る２段階認証の流れを示す。
【図６】本発明の一実施形態で行われる１つの処理の流れを示す。
【発明を実施するための形態】
【００１０】
以下、図面を参照して、本発明の一実施形態を説明する。
【００１１】
図１は、本発明の一実施形態に係る情報共有システムの構成を示す。
【００１２】
複数のユーザがそれぞれ使用する複数のスマートフォン２０と、情報共有支援システム６１とがある。各スマートフォン２０は、通信ネットワーク（例えばインターネット又は専用ネットワーク）１０を介して情報共有支援システム６１と通信する。情報共有支援システム６１は、セキュアゲートウェイ５０と、情報共有支援サーバ７０とを有する。各スマートフォン２０は、セキュアゲートウェイ５０を介して情報共有支援サーバ７０と通信する。セキュアゲートウェイ５０と、情報共有支援サーバ７０は、それぞれ物理的なコンピュータマシン（例えば１以上の計算機）であるが、それらの各々が、同一又は異なるコンピュータマシン上で実行される仮想的なマシンでもよい。
【００１３】
スマートフォン２０は、モバイル端末の一例である。スマートフォン２０は、スマートデバイスの一種である。スマートデバイスは、単なる計算処理だけではなく、多種多様な用途に使用可能な多機能のモバイル端末である。スマートフォン２０は、タッチパネル２１１と、記憶資源２１３と、センサ群２９５と、カメラ２１４と、Ｉ／Ｆ２１６と、それらに接続されたプロセッサ２１２とを有する。センサ群２９５は、１以上のセンサの集合であり、例えば、ＧＰＳ（Global  Positioning  System）センサ、ジャイロセンサ等を含む。本実施形態において、「記憶資源」は、１以上の記憶デバイスの集合であり、例えば、主記憶メモリ及び補助記憶デバイスを含む。また、本実施形態において、「プロセッサ」は、典型的にはＣＰＵ（Central  Processing  Unit）であるが、所定の処理を行うハードウェア回路（例えば、暗号化及び／又は復号化を行う回路）を含んでも良い。また、本実施形態において、「Ｉ／Ｆ」は、１以上の通信インタフェースデバイスの集合であり、例えば、Ｉ／Ｆ２１６は、通信ネットワーク１０を介した通信を行うための通信インタフェースデバイスと、他種の通信を行うための通信インタフェースデバイスとを含んでよい。
【００１４】
記憶資源２１３は、プロセッサ２１２により実行される複数のコンピュータプログラム、例えば、セキュアブラウザ２２１及び書込み通知ＡＰＰ（アプリケーションプログラム）２２２を記憶する。セキュアブラウザ２２１及び書込み通知ＡＰＰ２２２のうちの少なくとも１つは、プリインストールされていてもよいし、所定のプログラムソースからインストールされてもよい。以下、コンピュータプログラムを主語として処理を説明することがあるが、その処理は、コンピュータプログラムを実行するプロセッサ２１２により行われる。
【００１５】
セキュアブラウザ２２１は、例えばＷｅｂブラウザであり、一種のＡＰＰ（アプリケーションプログラム）である。セキュアブラウザ２２１は、セキュアブラウザ２２１により表示された画面（以下、ブラウザ画面）に入力された情報やセキュアブラウザ２２１により表示された画面内の情報がスマートフォン２０に残らないようにする。具体的には、例えば、セキュアブラウザ２２１は、ブラウザ画面の情報を、記憶資源２１３に設けられたキャッシュ領域に書き込むが、セキュアブラウザ２２１が終了するとき又はその前に、セキュアブラウザ２２１がキャッシュ領域に書き込んだ情報を全てキャッシュ領域から消去する。共有入力対象の入力、及び、共有対象の閲覧は、セキュアブラウザ２２１を用いて行われる。本実施形態において、「共有入力対象」とは、情報共有支援サーバ７０が提供する電子的な情報共有の場（以下、便宜上「掲示板」と言う）でセキュアブラウザ２２１を通じて入力され複数のメンバに共有される情報を言う。共有入力対象は、文字列（文章）のみでもよいし、文字列に代えて又は加えて、音声、画像（例えばカメラ２１４により撮影された画像）、センサ群２９５により検出された情報（例えばＧＰＳセンサにより検出された位置情報）、及び、センサ群２９５により検出された情報を基に特定された情報（例えばＧＰＳセンサにより検出された位置情報を用いて特定された地名）のうちの少なくとも１つを含んでもよい。「共有対象」とは、共有入力対象を含む情報、例えば、共有入力対象のみでもよいし、共有入力対象と共有入力対象に関連付けられる関連情報とのセットでもよい。関連情報は、例えば、共有入力対象が掲示板に登録された時刻（例えば情報共有支援サーバ７０のタイマ（図示せず）から特定された時刻）と、共有入力対象を入力（登録）したメンバ（ユーザ）の名前と、共有入力対象を閲覧したメンバの数及び名前とのうちの少なくとも１つを含んでよい。
【００１６】
書込み通知ＡＰＰ２２２は、情報共有支援サーバ７０に条件に該当する共有対象が新たに追加された場合に情報共有支援サーバ７０から通知を受けるＡＰＰである。「条件に該当する共有対象」とは、このＡＰＰを実行するスマートフォン２０を所持するユーザをメンバの１人とする掲示板に登録された共有対象である。
【００１７】
セキュアゲートウェイ５０は、各スマートフォン２０と情報共有支援サーバ７０との通信を中継する。セキュアゲートウェイ５０は、通信ネットワーク１０を通じて通信するＩ／Ｆ５１と、情報共有支援サーバ７０と通信するＩ／Ｆ５２と、記憶資源５４と、それらに接続されたプロセッサ５３とを有する。プロセッサ５３は、スマートフォン２０のデバイス認証を行い、デバイス認証において正当と判断されたスマートフォン２０と情報共有支援サーバ７０との通信を許可する。デバイス認証では、例えば、プロセッサ５３は、デバイス登録されたスマートフォン２０に対して発行された証明書をスマートフォン２０から受け、その証明書の正当が否かを判断する。スマートフォン２０に対して発行された証明書は、例えばスマートフォン２０の記憶資源２１３に格納され、デバイス認証のために、セキュアブラウザ２２１から受信する。
【００１８】
情報共有支援サーバ７０は、セキュアゲートウェイ５０と通信するＩ／Ｆ７１と、記憶資源７３と、それらに接続されたプロセッサ７２とを有する。記憶資源７３は、プロセッサ７２により実行される複数のコンピュータプログラム、例えば、ユーザ認証プログラム７３０及び情報共有支援プログラム７３１を記憶する。また、記憶資源７３は、ユーザ管理データ７６２と、掲示板毎の掲示板データユニット７４０とを記憶する。ユーザ管理データ７６２と複数の掲示板データユニット７４０とのうちの少なくとも一部が、記憶資源７３に代えて又は加えて、情報共有支援サーバ７０と通信可能な外部ストレージ装置（図示せず）に格納されてもよい。掲示板毎に、複数のメンバ（ユーザ）が存在する。
【００１９】
ユーザ認証プログラム７３０は、スマートフォン２０のユーザのユーザ認証を行う。ユーザ認証では、例えば、ユーザ認証プログラム７３０は、ユーザにより入力されたＩＤ及びパスワードが正しいか否かを判断する。
【００２０】
情報共有支援プログラム７３１は、スマートフォン２０のセキュアブラウザ２２１へ掲示板等を表示するための情報を提供する。また、情報共有支援プログラム７３１は、いずれかの掲示板に共有対象が追加された場合、その掲示板の全てのメンバ（但し、共有対象を追加したユーザを除く）のスマートフォン２０の書込み通知ＡＰＰ２２２に通知を送信する。
【００２１】
ユーザ管理データ７６２は、複数のユーザの各々に関するデータ、例えば、名前、ＩＤ、パスワード、電話番号（スマートフォン２０の電話番号）、メールアドレス、スマートフォン２０の書込み通知ＡＰＰに通知を出すために使用する宛先情報等を含む。
【００２２】
掲示板データユニット７４０は、管理データ７３２、詳細データ７３４及びサマリデータ７３５を含む。管理データ７３２は、掲示板に関する管理データ、例えば、掲示板のタイトル、及び、掲示板のメンバに関するデータ（例えば名前）等を含む。詳細データ７３４は、掲示板に登録された全ての共有対象に関する詳細データ（例えば、共有対象毎に、共有入力対象とそれの関連情報（例えば、共有対象ＩＤ、共有入力対象を登録したメンバの名前、及び、共有対象を閲覧したメンバの数及び名前）を含んだデータ）である。サマリデータ７３５は、掲示板に登録された全ての共有入力対象のうちのサマリに関するデータ（例えば、サマリ対象毎に、サマリ対象と、サマリ対象の元である共有対象のＩＤとを含んだデータ）である。
【００２３】
以下、図２Ａ〜図４Ｂを参照して、情報共有支援サーバ７０（情報共有支援プログラム７３１）によりセキュアゲートウェイ５０を通じてスマートフォン２０のセキュアブラウザ２２１に送信された情報を基にセキュアブラウザ２２１により表示されるブラウザ画面を説明する。なお、以下の説明では、情報共有支援サーバ７０（情報共有支援プログラム７３１）によりセキュアブラウザ２２１に送信された情報を基にセキュアブラウザ２２１により情報が表示されることを「情報共有支援サーバ７０（情報共有支援プログラム７３１）がセキュアブラウザ２２１に情報を表示する」のように表現することがある。図２Ａ〜図４Ｂの各々が示す画面は、ブラウザ画面である。また、掲示板の複数のメンバには、管理メンバ（管理者としてのメンバ）が１人存在することとする。
【００２４】
図２Ａは、掲示板スタート画面の一例を示す。
【００２５】
掲示板スタート画面２００は、この画面に対応した掲示板の管理データ７３２（図１参照）を基に、情報共有支援サーバ７０（情報共有支援プログラム７３１）によりセキュアブラウザ２２１に表示される。掲示板スタート画面２００は、掲示板タイトルフィールド２０７と、メンバフィールド２０５と、メンバ編集ボタン２０２、詳細ボタン２０３及びサマリ閲覧ボタン２０４を有する。
【００２６】
掲示板タイトルフィールド２０７には、管理メンバ（例えば掲示板を新たに立ち上げたユーザ）により入力された掲示板タイトルの文字列（例えば「システム障害Ａ」）が表示される。
【００２７】
メンバフィールド２０５には、管理メンバにより登録された全てのメンバの名前の一覧が表示される。セキュアブラウザ２２１は、メンバフィールド２０５に表示される一覧を、このフィールド２０５上でなされたスクロール操作（例えば上下のスワイプ）に応答して上下にスクロールすることができる。
【００２８】
メンバ編集ボタン２０２は、管理メンバによりメンバを追加、削除又は変更するために押される（例えばタップされる）ボタンである。
【００２９】
詳細ボタン２０３は、掲示板（システム障害Ａ）に登録されている全ての共有対象を閲覧したり掲示板に共有入力対象を登録したりするためにメンバにより押されるボタンである。詳細ボタン２０３が押されると、図２Ｂの掲示板詳細画面２１０が表示される。
【００３０】
サマリ閲覧ボタン２０４は、掲示板（システム障害Ａ）に登録されているサマリを閲覧するためにメンバにより押されるボタンである。サマリ閲覧ボタン２０４が押されると、図３Ｂの掲示板サマリ画面３１０が表示される。
【００３１】
図２Ｂは、掲示板詳細画面２１０の一例を示す。
【００３２】
掲示板詳細画面２１０は、この画面に対応した掲示板の詳細データ７３４（図１参照）を基に、情報共有支援サーバ７０（情報共有支援プログラム７３１）によりセキュアブラウザ２２１に表示される。掲示板詳細画面２１０は、サマリ閲覧ボタン２１１と、掲示板メインフィールド２９３と、共有入力対象フィールド２９２と、登録ボタン２１９とを有する。
【００３３】
サマリ閲覧ボタン２１１は、掲示板（システム障害Ａ）に登録されているサマリを閲覧するためにメンバにより押されるボタンである。サマリ閲覧ボタン２１１が押されると、図３Ｂの掲示板サマリ画面３１０が表示される。
【００３４】
掲示板メインフィールド２９３には、掲示板に登録されている全ての共有対象の一覧が表示される。セキュアブラウザ２２１は、掲示板メインフィールド２９３に表示される一覧を、このフィールド２９３上でなされたスクロール操作（例えば上下のスワイプ）に応答して上下にスクロールすることができる。このメンバ（ユーザ）によりフィールド２９３上に共有対象が初めて表示された場合に、このメンバについてその共有対象が初めて閲覧（表示）されたことが詳細データ７３４（図１参照）を基に情報共有支援サーバ７０（情報共有支援プログラム７３１）により検出され、その共有対象について、閲覧者数（詳細データ７３４（図１参照）で管理されている数）が、情報共有支援サーバ７０（情報共有支援プログラム７３１）によりインクリメントされ、且つ、そのメンバの名前が閲覧者として関連付けられる。そのメンバの名前は、ユーザ認証を経たことで把握されている。各共有対象は、吹き出し内に表示され、吹き出し内の閲覧者数は、上述のインクリメントに伴いインクリメントされる。
【００３５】
１つの吹き出し２１４を例に取る。吹き出し２１４内には、共有対象のＩＤ「２」（例えば通し番号）と、共有対象内の共有入力対象「原因を調べます。」（文字列）と、その共有入力対象を入力（登録）したメンバの名前「K.Ohhara」と、共有入力対象の登録時刻「10/18/13  15:37:30」と、閲覧者がいることを示すチェックマーク及び閲覧者数「３」２１５とが表示される。閲覧者の最大数は、掲示板のメンバ数から１を引いた数である。セキュアブラウザ２２１は、吹き出し内のチェックマーク２１５に対してユーザになされた所定の操作（リクエスト）を情報共有支援サーバ７０に通知し、それに応答して、情報共有支援サーバ７０は、全ての閲覧者の名前をセキュアブラウザ２２１に通知し、セキュアブラウザ２２１が、通知された全ての閲覧者の名前を例えばポップアップでこの画面２１０上に表示する。
【００３６】
別の吹き出し２１６を例に取る。この吹き出し２１６内には、共有入力対象「復旧をお願いします。」の前に「３．＞」という符号列がある。これは、「３．＞」に続く共有入力対象（メッセージ）が、共有対象ＩＤ「３」の共有対象に対する返信であることを意味する。つまり、情報共有支援サーバ７０は、ユーザ所望の共有対象に対する返信を掲示板上にメンバが登録する機能を提供している。
【００３７】
共有入力対象フィールド２９２には、共有入力対象が入力されるフィールド（欄）である。共有入力対象フィールド２９２に共有入力対象が入力され、登録ボタン２１９が押されると（例えばタップされると）、セキュアブラウザ２２１によりその共有入力対象が情報共有支援サーバ７０（情報共有支援プログラム７３１）に送信され、情報共有支援サーバ７０（情報共有支援プログラム７３１）により、その共有入力対象とそれの関連情報とが、この掲示板に対応した詳細データ７３４（図１参照）に含められ、且つ、その共有対象を含んだ新たな吹き出しが、情報共有支援サーバ７０（情報共有支援プログラム７３１）により掲示板メインフィールド２９３上に表示される。なお、特定の共有対象の吹き出しを押すと（例えばタップすると）（又は手入力により）、共有入力対象フィールド２９２に、共有対象ＩＤを含んだ符号列「３．＞」が表示されるが、その状態で入力された共有入力対象は、その特定の共有対象に対する返信として、登録される。
【００３８】
この掲示板詳細画面２１０に表示された共有対象のサマリを、管理メンバ（管理メンバに加えて他のメンバでもよい）が登録することができる。
【００３９】
具体的には、例えば、図３Ａに示すように、管理メンバが、サマリとして登録したい共有入力対象部分（所望の文字列）に対して所定の操作（例えば、所望の文字列の先頭文字を長押しし、その後、押したままの状態でその文字列の終端文字まで文字列をなぞる操作）をすると、セキュアブラウザ２２１により、その共有入力対象部分が強調表示（例えばアンダーライン表示）される。図３Ａの例によれば、３つの共有入力対象部分３０１Ａ〜３０１Ｃがそれぞれサマリとしてセキュアブラウザ２２１に設定された状態である。
【００４０】
そして、管理メンバが、登録ボタン２１９を押すと、共有入力対象部分３０１Ａ〜３０１Ｃがそれぞれサマリとして登録される。具体的には、例えば、セキュアブラウザ２２１が、共有入力対象部分３０１Ａ〜３０１Ｃのサマリ登録のリクエストを、情報共有支援サーバ７０（情報共有支援プログラム７３１）に送信し、情報共有支援サーバ７０（情報共有支援プログラム７３１）が、共有入力対象部分３０１Ａ〜３０１Ｃの各々について、共有入力対象部分とその共有入力対象部分を含んでいる共有対象のＩＤとを、掲示板のサマリデータ７３５（図１参照）に含める。
【００４１】
図３Ｂは、掲示板サマリ画面の一例を示す。
【００４２】
掲示板サマリ画面３１０は、この画面に対応した掲示板のサマリデータ７３５（図１参照）を基に、情報共有支援サーバ７０（情報共有支援プログラム７３１）によりセキュアブラウザ２２１に表示される。掲示板サマリ画面３１０は、詳細ボタン３１１と、サマリメインフィールド３１３とを有する。
【００４３】
詳細ボタン３１１は、掲示板（システム障害Ａ）に登録されている全ての共有対象を閲覧したり掲示板に共有入力対象を登録したりするために押されるボタンである。詳細ボタン３１１が押されると、図２Ｂの掲示板詳細画面２１０が表示される。
【００４４】
サマリメインフィールド３１３には、掲示板に登録されている全てのサマリ（共有対象部分）の一覧が表示される。セキュアブラウザ２２１は、サマリメインフィールド３１３に表示される一覧を、このフィールド３１３上でなされたスクロール操作（例えば上下のスワイプ）に応答して上下にスクロールすることができる。各サマリは、吹き出し内に表示される。
【００４５】
１つの吹き出し３２１Ａを例に取る。吹き出し３２１Ａは、図３Ａでサマリとして指定された共有入力対象部分３０１Ａに対応している。すなわち、吹き出し３２１Ａ内には、サマリ「サーバＡ及びＢがダウン」と、そのサマリを含んだ共有対象の関連情報（そのサマリに関連付けられている共有対象ＩＤをキーに詳細データ７３４を参照することで特定された関連情報）、すなわち、共有対象ＩＤ「１」と、サマリを含んだ共有入力対象を入力（登録）したメンバの名前「Wataru  Yamaguchi」と、その共有入力対象の登録時刻「10/18/13  15:35:26」と、その共有入力対象の閲覧者数「３」とが表示される。
【００４６】
掲示板の各メンバは、掲示板サマリ画面３１０を見れば、掲示板詳細画面２１０を見ることに比べて、掲示板に登録された複数の共有対象の概要（例えばどのような障害が発生しどのようにして復旧されたか）を早くに把握できる。このため、利便性が高い。
【００４７】
また、情報共有は、一般には、ＬＩＮＥ（登録商標）のようにＡＰＰを使用して行われるが、ＡＰＰを使用して入力及び閲覧された情報は、スマートフォンに残る。しかし、本実施形態では、情報共有にセキュアブラウザ２２１が使用される。これにより、ブラウザ画面の情報（例えば、入力された共有入力対象、及び、閲覧された共有対象）がスマートフォン２０に残らず、ＡＰＰを使用した情報共有に比べてセキュリティが向上する。
【００４８】
なお、ＡＰＰを使用した情報共有では、新規に情報が追加されるとそのＡＰＰに対して情報の追加がプッシュ通知されるが、本実施形態では、セキュアブラウザ２２１を使用した情報共有であり、スマートフォン２０ではなくサーバ７０に共有対象があるため、そのようなプッシュ通知は通常できない。
【００４９】
しかし、本実施形態では、そのような問題を回避するべく、プッシュ通知を受けるための書込み通知ＡＰＰ２２２が用意され、スマートフォン２０にインストールされる。これにより、セキュリティの向上を実現しつつ、利便性の低下を回避できる。
【００５０】
また、本実施形態は、セキュアゲートウェイ５０及び情報共有支援サーバ７０のうちの少なくとも情報共有支援サーバ７０は、マルチブラウザ対応である。本実施形態では、基本的にブラウザ（例えばＷｅｂブラウザ）からサーバ７０にアクセスするだけなので、ブラウザをインストールできる端末であれば、スマートフォン２０に限らず、図１に示すように他種のユーザ端末、例えば、モバイル型（例えばタブレット型）又はデスクトップ型のパーソナルコンピュータでも、タブレット型のスマートデバイス等でも、サーバ７０を使用して情報共有を行うことができる。すなわち、モバイル端末に限らず他種の端末を使用しても情報共有を行うことができる。なお、セキュアブラウザ２２１は、全ての種類の端末に搭載（インストール）されなくてもよく、例えば、スマートフォン２０のようなモバイル端末に少なくとも搭載されればよい。つまり、少なくともモバイル端末が有する１以上のブラウザ（典型的にはＷｅｂブラウザ）は、セキュアブラウザを含む。少なくもモバイル端末は紛失のおそれがあるが、モバイル端末ではセキュアブラウザによる情報共有がされるので、紛失しても共有対象の漏洩のリスクを軽減できる。各端末に搭載されるブラウザは、セキュアブラウザのみでもよいし、セキュアブラウザに加えてセキュアブラウザ以外のブラウザも搭載されてもよい。また、書込み通知ＡＰＰ２２２も、全ての種類の端末に搭載されなくてもよく、例えば、スマートフォン２０のようなモバイル端末に少なくとも搭載されればよい。書込み通知ＡＰＰ２２２は、後述するように、サーバ７０からの通知であってセキュアブラウザ２２１を起動させる通知を受信し、その通知を使用してセキュアブラウザ２２１を起動する。具体的には、例えば、その通知には、起動対象（例えば、起動対象のＡＰＰ）が指定されたリンク（例えばＵＲＬ（Uniform  Resource  Locator）スキーム））が記述されており、且つ、そのリンクで指定されている起動対象は、セキュアブラウザ２２１である。書込み通知ＡＰＰ２２２は、受信した通知に記述されているそのリンクを使用することで、そのリンクに指定されているセキュアブラウザ２２１を起動するようになっている。スマートフォン２０のようなモバイル端末は、セキュアブラウザ２２１及び書込み通知ＡＰＰ２２２を含む複数のＡＰＰを有するが、本実施形態では、サーバ７０からの通知（例えば、その通知に記述されているリンク）には、共有対象それ自体（又は共有対象へ直接的に繋がる情報）は含まれておらず、そのリンクには、起動対象としてセキュアブラウザ２２１が指定されている。そのため、その通知からは共有対象が漏洩することはなく、書込み通知ＡＰＰ２２２を有するモバイル端末がセキュアブラウザ２２１に加えて他種のブラウザを有していても、書込み通知ＡＰＰ２２２により、複数のブラウザのうちセキュアブラウザ２２１が起動されるようになっている。これにより、よりセキュアな情報共有を実現することができる。なお、本実施形態では、セキュアブラウザ２２１と書込み通知ＡＰＰ２２２は、互いに独立したＡＰＰであるが、セキュアブラウザ２２１としての機能であるセキュアブラウザ機能と書込み通知ＡＰＰとしての機能であるプッシュ通知���信機能との両方が１つのＡＰＰに含まれていてもよい。プッシュ通知受信機能は、サーバ７０より送信されてくる通知を受けることができ、その通知を受けた場合にはその通知を受けたことを表示又は音声等により報知する機能である。
【００５１】
また、本実施形態では、情報共有支援サーバ７０が提供するサービスは、共同利用型サービスではない。つまり、ブラウザ、ゲートウェイ５０及びサーバ７０を用意できれば、環境ごと独立して（スタンドアロンで）サービスを利用できる。例えば、本実施形態の情報共有支援システムは、会社毎に構築し、当該システムは、会社毎に独立した環境とすることができる。
【００５２】
例えば、或るメンバ（この段落において「登録メンバ」と言う）によって共有入力対象が掲示板に登録された場合、情報共有支援サーバ７０（情報共有支援プログラム７３１）が、その掲示板に対応した管理データ７３２（図１参照）を基に、その掲示板に属する複数のメンバのうちの登録メンバ以外の全てのメンバを特定する。そして、情報共有支援サーバ７０（情報共有支援プログラム７３１）が、ユーザ管理データ７６２（図１参照）を基に、特定した全てのメンバの各々のスマートフォン２０の書込み通知ＡＰＰ２２２に、セキュアブラウザ２２１を起動させる通知（例えば、セキュアブラウザ２２１を指定した上記リンクを含んだ通知）を送信する。なお、通知は、共有対象が新たに登録される都度に送信されてもよいし、新規に共有対象が登録されて一定時間経過後に送信されてもよい。後者の場合、例えば、新規に共有対象が登録されて一定時間以内に新たに新規対象が登録されたならば再度一定時間待ち、その時間内に新規に共有対象が登録されなければ、通知が送信されてもよい。この場合、１つの通知に、複数件の共有対象が新規に登録されたことが記述されてよい。
【００５３】
図４Ａは、ＡＰＰ一覧画面の一例を示す。
【００５４】
ＡＰＰ一覧画面４００には、インストールされているＡＰＰのアイコンの一覧が表示される。この一覧に、書込み通知ＡＰＰ２２２のアイコン４０１が含まれている。書込み通知ＡＰＰ２２２のアイコン４０１には、書込み通知ＡＰＰ２２２が受けた通知のうちの未読通知の数４０２が表示される。これは、未読通知数４０２は、書込み通知ＡＰＰ２２２により設定された値であり、その値は、書込み通知ＡＰＰ２２２により直接的に又は間接的に表示されてもよい（例えば、書込み通知ＡＰＰ２２２が未読通知数の値をスマートフォン２０のＯＳ（オペレーティングシステム）に通知しＯＳにより表示されてもよい）。また、未読通知数に代えて又は加えて、未読共有対象数がアイコン４０１に関連付けられ表示されてもよい。具体的には、未読共有対象数は、未読通知から特定可能である。
【００５５】
アイコン４０１が押されると（例えばタップされると）、書込み通知ＡＰＰ２２２が起動する。書込み通知ＡＰＰ２２２は、未読通知の一覧（図示せず）を表示する。その一覧から、ユーザ所望の通知が選択されると（例えばタップされると）、書込み通知ＡＰＰ２２２が、その通知に従いセキュアブラウザ２２１を起動する（例えば、その通知に記述されているリンクが指定するセキュアブラウザ２２１を起動する）。セキュアブラウザ２２１は、起動された場合、所定のＵＲＬを指定したアクセスを情報共有支援サーバ７０へ出すようになっている。「所定のＵＲＬ」とは、セキュアブラウザ２２１に対して予め設定されたＵＲＬであり、セキュアブラウザ２２１が起動したときのアクセスにおいて指定されるＵＲＬである。所定のＵＲＬは、例えば、情報共有支援サーバ７０のトップページのＵＲＬである。セキュアブラウザ２２１は、所定のＵＲＬに従うページを表示し、その後にユーザから操作を受け付けることで、その操作に従うリクエスト（例えば、新規に登録された共有対象の表示のリクエスト）を、情報共有支援サーバ７０に送信し、そのリクエストに応答して、そのリクエストに従う表示用情報をセキュアブラウザ２２１に送信し、それにより、例えば、セキュアブラウザ２２１により図４Ｂの画面（情報共有サーバ７０からの表情用情報が表示された画面）４１０が表示される。なお、本実施形態において、「未読通知」とは、未読通知の一覧に表示されたことが無い通知と、未読通知の一覧に表示されたが未だ選択されたことが無い通知のいずれかである。言い換えれば、未読通知の一覧から選択されることによって、未読通知が既読通知となる。なお、「表示用情報」とは、セキュアブラウザ２２１により表示される情報、及び、セキュアブラウザ２２１により表示される情報の生成に使用される情報、のうちの少なくとも一方である。
【００５６】
本実施形態では、セキュアブラウザ２２１の使用により高いセキュリティが実現されるが、更に、セキュアゲートウェイ５０でのデバイス認証と情報共有支援サーバ７０でのユーザ認証という２段階の認証により、高いセキュリティが実現される。
【００５７】
図５は、本実施形態に係る２段階認証の流れを示す。
【００５８】
セキュアブラウザ２２１が、セキュアゲートウェイ５０にデバイス認証リクエストを送信する（ステップ１）。その認証リクエストは、スマートフォン２０のデバイス登録の際に発行された証明書を含む。セキュアゲートウェイ５０は、その証明書が正しいか否かを判断し（ステップ２）、その判断の結果をセキュアブラウザ２２１に通知する（ステップ３）。判断結果が肯定であれば、デバイス認証にパスしたことになる。
【００５９】
セキュアブラウザ２２１は、デバイス認証にパスした場合、ユーザ認証リクエストを送信し（ステップ１１）、そのリクエストが、セキュアゲートウェイ５０により情報共有支援サーバ７０へと中継される（ステップ１２）。そのリクエストに応答して、情報共有支援サーバ７０（ユーザ認証プログラム７３０）が、ユーザのＩＤ及びパスワードの入力をユーザに求め、その求めに応じて、ユーザからスマートフォン２０を通じてＩＤ及びパスワードを受け付け、そのＩＤ及びパスワードが正しいか否かを、ユーザ管理データ７６２を参照して判断する（ステップ１３）。情報共有支援サーバ７０（ユーザ認証プログラム７３０）は、その判断の結果をセキュアブラウザ２２１に通知する（ステップ１４）。判断結果が肯定であれば、ユーザ認証にパスしたことになる。これにより、ユーザが、情報共有支援サーバ７０の情報共有支援サービスを利用することができるようになる。
【００６０】
このような２段階認証（デバイス認証及びユーザ認証）は、例えば、セキュアブラウザ２２１からの上記所定のＵＲＬを指定したアクセスの都度に行われ、２段階認証に成功した場合に、その所定のＵＲＬを指定したアクセスが許可されてもよい。これにより、例えばスマートフォン２０を紛失しても、そのスマートフォン２０を拾った不特定の第三者によって共有対象が閲覧されてしまうことを防ぐことができる。
【００６１】
以下、図６を参照して、本実施形態の１つの特徴を総括する。
【００６２】
図６は、本実施形態で行われる１つの処理の流れを示す。
【００６３】
スマートフォン２０のようなモバイル端末は、複数のＡＰＰを有する。複数のＡＰＰは、セキュアブラウザ２２１と書込み通知ＡＰＰ２２２を含む。セキュアブラウザ２２１と書込み通知ＡＰＰ２２２に代えて、セキュアブラウザとしての機能であるセキュアブラウザ機能と、書込み通知ＡＰＰとしての機能であるプッシュ通知受信機能の両方を含んだ１つのＡＰＰが採用されてもよい。
【００６４】
情報共有支援サーバ７０（例えば、情報共有支援プログラム７３１）は、所定のイベントが発生した場合（例えば、いずれかの端末から新たに入力された共有入力対象を含んだ共有対象を記憶資源７３に新たに登録した（掲示板データユニット７４０に含めた）場合）、スマートフォン２０の書込み通知ＡＰＰ２２２に対して、そのスマートフォン２０が有する複数のＡＰＰのうちセキュアブラウザ２２１を起動させる通知（例えば、セキュアブラウザ２２１を指定したリンク（例えば上記のようにＵＲＬスキーマ）を含んだ通知）を送信する（ステップ６０１）。
【００６５】
スマートフォン２０において、書込み通知ＡＰＰ２２２は、その通知の受信を報知する（ステップ６０２）。例えば、図４Ａに例示したように、書込み通知ＡＰＰ２２２は、通知（例えば未読の通知）の受信件数を表示する。
【００６６】
書込み通知ＡＰＰ２２２は、所定のユーザ操作（例えば、通知の指定、書込み通知ＡＰＰ２２２のアイコンのタップ等）を受けた場合、受信した通知（例えばその通知が含むリンク）を使用することで、複数のＡＰＰのうちのセキュアブラウザ２２１を起動する（ステップ６０３）。それにより、起動したセキュアブラウザ２２１が、所定のＵＲＬを指定したアクセスを出す（ステップ６０４）。その際、前述した２段階認証が行われ、その２段階認証に成功した場合にそのアクセスが許可されてよい。
【００６７】
情報共有支援サーバ７０（例えば、情報共有支援プログラム７３１）は、所定のＵＲＬを指定したアクセスを受け、その所定のＵＲＬに従うページの表示用情報をセキュアブラウザ２２１に送信する（ステップ６０５）。それにより、セキュアブラウザ２２１が、そのページの表示用情報を表示する。なお、この表示用情報は、例えばスマートフォン２０の記憶資源２１３（例えばキャッシュ領域）に一時記憶されるが、その表情用情報に従うページが閉じられる又はセキュアブラウザ２２１が終了する等のイベントが発生した場合にセキュアブラウザ２２１により記憶資源２１３から消去される。表示用情報に加えて、セキュアブラウザ２２１が表示した画面（ページ）に対して入力された情報についても同様である。
【００６８】
セキュアブラウザ２２１は、その後にユーザから操作を受け付けることで、その操作に従うリクエスト（例えば、新規に登録された共有対象の表示のリクエスト）を、情報共有支援サーバ７０に送信する（ステップ６０６）。情報共有支援サーバ７０（例えば、情報共有支援プログラム７３１）は、そのリクエストに応答して、そのリクエストに従う表示用情報をセキュアブラウザ２２１に送信する（ステップ６０７）。それにより、セキュアブラウザ２２１は、その表示用情報を表示する（例えば、図４Ｂに示したように、情報共有サーバ７０に新たに登録された共有対象を表示する）。
【００６９】
このように、本実施形態では、少なくともスマートフォン２０のようなモバイル端末では、セキュアブラウザ２２１による情報共有がされる。このため、モバイル端末が紛失されても、共有対象がモバイル端末から漏洩することは無い。
【００７０】
また、本実施形態では、情報共有支援サーバ７０からいわゆるプッシュで送信される通知には、リンクが含まれており、そのリンクには、共有対象それ自体（又は共有対象へ直接的に繋がる情報）は含まれていない。このため、紛失したモバイル端末が保持する未読通知から共有対象が漏洩することは無い。
【００７１】
更に、本実施形態では、プッシュで送信される通知が含む上記リンクは、起動対象としてセキュアブラウザ２２１を指定する。そのため、セキュアな情報共有を維持できる。
【００７２】
以上のように、本実施形態徴によれば、モバイル端末から共有対象が漏洩することを徹底して防ぐことができる。
【００７３】
以上、本発明の一実施形態を説明したが、これは、本発明の説明のための例示であって、本発明の範囲をこの実施形態にのみ限定する趣旨ではない。本発明は、他の種々の形態でも実施する事が可能である。例えば、情報共有の場は、掲示板に限らず、仮想空間等でもよい。また、情報共有支援サーバ７０（情報共有支援プログラム７３１）は、検索機能を有してもよい。具体的には、例えば、情報共有支援サーバ７０（情報共有支援プログラム７３１）は、掲示板詳細画面及び掲示板サマリ画面のうちの少なくとも１つの画面において、ユーザ所望の検索条件（例えばキーワード）の入力を受け付け、その検索条件に該当する共有対象を詳細データ７３４又はサマリデータ７３５から検索し、見つかった共有対象（又はサマリ）の一覧を表示してもよい。また、例えば、セキュアブラウザ機能を起動させる通知（プッシュ通知）は、セキュアブラウザ機能（セキュアブラウザ２２１）を指定したリンクに代えて、セキュアブラウザ機能（セキュアブラウザ２２１）を指定した他種の情報（コード）を含んでよい。
【符号の説明】
【００７４】
２０：スマートフォン  ５０：セキュアゲートウェイ  ７０：情報共有支援サーバ
【図１】
2015232867.tif 000003
【図２】
2015232867.tif 000004
【図３】
2015232867.tif 000005
【図４】
2015232867.tif 000006
【図５】
2015232867.tif 000007
【図６】
2015232867.tif 000008
【手続補正書】
【提出日】平成27年2月2日(2015.2.2)
【手続補正１】
【補正対象書類名】特許請求の範囲
【補正対象項目名】全文
【補正方法】変更
【補正の内容】
【特許請求の範囲】
【請求項１】
モバイル端末を含む複数の端末と通信する通信手段と
前記複数の端末に前記通信手段を介して電子的な情報共有の場を提供する制御手段と
を有し、
前記複数の端末の各々が、１以上のブラウザ機能を有し、
前記複数の端末のうちの少なくともモバイル端末が有する１以上のブラウザ機能が、セキュアブラウザ機能を含み、
前記複数の端末のうちの少なくともモバイル端末が、セキュアブラウザ機能とプッシュ通知受信機能とを含んだ１以上のアプリケーションプログラムを含む複数のアプリケーションプログラムを有し、
前記セキュアブラウザ機能は、そのセキュアブラウザ機能により入出力された情報をそのセキュアブラウザ機能を有する端末から消去するブラウザ機能であり、
前記情報共有の場には、記憶手段に登録されている１以上の共有対象が、前記制御手段により、各端末のブラウザ機能の画面に表示され、
前記１以上の共有対象の各々は、いずれかの端末から前記情報共有の場で共有される情報として入力された共有入力対象を含んだ情報であり、
前記制御手段は、いずれかの端末から新たに入力された共有入力対象を含んだ共有対象を前記記憶手段に新たに登録した場合、前記複数の端末の他の端末としてのモバイル端末のプッシュ通知受信機能に対して、そのモバイル端末が有する前記セキュアブラウザ機能を起動対象として指定する通知を送信し、
前記制御手段は、前記プッシュ通知受信機能が受信した前記通知により起動された前記セキュアブラウザ機能からのリクエストに応答して、前記新たに登録された共有対象の表示用情報を、前記セキュアブラウザ機能に送信する、
情報共有支援システム。
【請求項２】
前記通知は、前記セキュアブラウザ機能を起動させるリンクを含む、
請求項１記載の情報共有支援システム。
【請求項３】
前記リンクは、前記セキュアブラウザ機能を含むアプリケーションプログラムを起動させるＵＲＬスキームである、
請求項２記載の情報共有支援システム。
【請求項４】
前記通信手段及び前記制御手段を含んだサーバと、
前記サーバと前記複数の端末の各々との通信を中継するゲートウェイと
を有し、
前記ゲートウェイは、第１の認証として、端末のデバイス認証を行い、そのデバイス認証にパスした場合に、その端末と前記サーバとの通信を中継し、
前記サーバの前記制御手段は、第２の認証として、端末のユーザのユーザ認証を行い、そのユーザ認証にパスした場合に、その端末に対して前記情報共有の場を提供し、
前記プッシュ通知受信機能が受信した前記通知により起動された前記セキュアブラウザ機能からの所定のＵＲＬを指定したアクセスの都度に、前記第１及び第２の認証が行われる、
請求項１乃至３のうちのいずれか１項に記載の情報共有支援システム。
【請求項５】
モバイル端末を含む複数の端末に、電子的な情報共有の場を提供する情報共有支援システムと、
前記複数の端末のうちの少なくともモバイル端末で実行されるプッシュ通知受信機能と
を有し、
前記複数の端末の各々が、１以上のブラウザ機能を有し、
前記複数の端末のうちの少なくともモバイル端末が有する１以上のブラウザ機能が、セキュアブラウザ機能を含み、
前記複数の端末のうちの少なくともモバイル端末が、前記セキュアブラウザ機能と前記プッシュ通知受信機能とを含んだ１以上のアプリケーションプログラムを含む複数のアプリケーションプログラムを有し、
前記セキュアブラウザ機能は、そのセキュアブラウザ機能により入出力された情報をそのセキュアブラウザ機能を有する端末から消去するブラウザ機能であり、
前記情報共有の場には、記憶手段に登録されている１以上の共有対象が、各端末のブラウザ機能の画面に表示され
前記１以上の共有対象の各々は、いずれかの端末から前記情報共有の場で共有される情報として入力された共有入力対象を含んだ情報であり、
前記情報共有支援システムは、いずれかの端末から新たに入力された共有入力対象を含んだ共有対象を前記記憶手段に新たに登録した場合、前記複数の端末の他の端末としてのモバイル端末のプッシュ通知受信機能に対して、そのモバイル端末が有する前記セキュアブラウザ機能を起動対象として指定する通知を送信し、
前記プッシュ通知受信機能は、受信した前記通知を使用することで前記セキュアブラウザ機能を起動し、
前記情報共有支援システムは、前記起動されたセキュアブラウザ機能からのリクエストに応答して、前記新たに登録された共有対象の表示用情報を、前記セキュアブラウザ機能に送信する、
情報共有システム。
【請求項６】
モバイル端末を含む複数の端末の各々のブラウザ機能に、電子的な情報共有の場を提供し、少なくともモバイル端末が有する１以上のブラウザ機能のうちのセキュアブラウザ機能は、そのセキュアブラウザ機能により入出力された情報を端末から消去するブラウザ機能であり、前記情報共有の場には、記憶手段に登録されている１以上の共有対象が、各端末のブラウザ機能の画面に表示され、前記１以上の共有対象の各々は、いずれかの端末から前記情報共有の場で共有される情報として入力された共有入力対象を含んだ情報であり、前記複数の端末のうちの少なくともモバイル端末が、セキュアブラウザ機能とプッシュ通知受信機能とを含んだ１以上のアプリケーションプログラムを含む複数のアプリケーションプログラムを有し、
いずれかの端末から新たに入力された共有入力対象を含んだ共有対象を前記記憶手段に新たに登録した場合、前記複数の端末の他の端末としてのモバイル端末のプッシュ通知受信機能に対して、そのモバイル端末が有する前記セキュアブラウザ機能を起動対象として指定する通知を送信し、
前記プッシュ通知受信機能が受信した前記通知により起動された前記セキュアブラウザ機能からのリクエストに応答して、前記新たに登録された共有対象の表示用情報を、前記セキュアブラウザ機能に送信する、
情報共有方法。